【手続補正書】
【提出日】平成22年11月1日(2010.11.1)
【手続補正１】
【補正対象書類名】特許請求の範囲
【補正対象項目名】全文
【補正方法】変更
【補正の内容】
【特許請求の範囲】
【請求項１】
（ａ）ポリフェニレンエ−テル１００質量部に対し、（ｂ）イオウ系安定剤０．１〜３質量部、（ｃ）ヒンダードフェノール系安定剤０〜３質量部、（ｄ）ビニル芳香族化合物と共役ジエン化合物を共重合して得られるブロック共重合体をさらに水素添加反応して得られる水添ブロック共重合体０〜１００質量部、（ｅ）（ａ）以外の熱可塑性樹脂１〜９００質量部を含有し、（ｅ）（ａ）以外の熱可塑性樹脂が、ビニル芳香族化合物重合体、ビニル芳香族化合物共重合体、ポリプロピレン、ポリエチレン、ポリアミド６、ポリアミド６６、ポリアミド６６／６、芳香環含有ポリアミド、脂肪族環含有ポリアミド、ポリフェニレンサルファイド、液晶ポリマー、ポリエーテルエーテルケトン、ポリアリレート、ポリエーテルサルフォン、ポリサルフォンからなる群から選ばれる少なくとも１種以上である、樹脂組成物。
【請求項２】
（ｂ）成分が、ジラウリル−３，３′−チオジプロピオネート、ジミリスチル−３，３′−チオジプロピオネート、ジステアリル−３，３′−チオジプロピオネート、ビス〔２−メチル−４−｛３−ｎ−アルキルチオプロピオニルオキシ｝−５−ｔ−ブチルフェニル〕スルフィド、テトラキス〔メチレン−３−（ラウリルチオ）プロピオネート〕メタン、テトラキス〔メチレン−３−（ミリスチルチオ）プロピオネート〕メタン、テトラキス〔メチレン−３−（ステアリルチオ）プロピオネート〕メタン、２−メルカプトベンズイミダゾール、ジトリデシルチオジプロピオネート、ジラウリルチオジプロピオネート、ジステアリルチオジプロピオネート、ジミリスチルチオジプロピオネートからなる群から選ばれる少なくとも１種以上のイオウ系安定剤である、請求項１に記載の樹脂組成物。
【請求項３】
（ｄ）成分の構造が、ビニル芳香族化合物を主体とする少なくとも１個の重合体ブロック（Ａ）と共役ジエン化合物を主体とする少なくとも１個の重合体ブロック（Ｂ）として、Ａ−Ｂ型および／またはＡ−Ｂ−Ａ型および／またはＡ−Ｂ−Ａ−Ｂ型である水添ブロック共重合体である、請求項１または２に記載の樹脂組成物。
【請求項４】
（ｄ）成分が、（ａ）ポリフェニレンエ−テル１００質量部に対し、１〜１００質量部を含有する、請求項１〜３のいずれかに記載の樹脂組成物。
【請求項５】
（ｄ）成分の水素添加率が、８０％以上である、請求項１〜４のいずれかに記載の樹脂組成物。
【請求項６】
（ａ）ポリフェニレンエ−テルが、１０，０００以下の分子量が全分子量の総和に対して、１５質量％以下である、請求項１〜５のいずれかに記載の樹脂組成物。
【請求項７】
（ｅ）（ａ）以外の熱可塑性樹脂が、ビニル芳香族化合物共重合体、芳香環含有ポリアミド、脂肪族環含有ポリアミド、ポリフェニレンサルファイド、液晶ポリマー、ポリエーテルエーテルケトン、ポリアリレート、ポリエーテルサルフォン、ポリサルフォンからなる群から選ばれる少なくとも１種以上を含有する、請求項１〜６のいずれかに記載の樹脂組成物。
【請求項８】
（ｅ）（ａ）以外の熱可塑性樹脂が、芳香環含有ポリアミド、脂肪族環含有ポリアミド、液晶ポリマーからなる群から選ばれる少なくとも１種以上を含有する、請求項１〜６のいずれかに記載の樹脂組成物。
【請求項９】
（ｅ）成分のビニル芳香族化合物共重合体が、芳香族ビニル−マレイミド系共重合体である、請求項１〜６のいずれかに記載の樹脂組成物。
【請求項１０】
芳香族ビニル−マレイミド共重合体のガラス転移温度が１７０℃以上である、請求項９に記載の樹脂組成物。
【請求項１１】
芳香族ビニル−マレイミド共重合体のガラス転移温度が２００℃以上である、請求項９に記載の樹脂組成物。
【請求項１２】
（ａ）ポリフェニレンエ−テルが、フェノール性水酸基をフェニレンエーテルユニットの１００個に対して１．８０個以下含有する、請求項１〜１１のいずれかに記載の樹脂組成物。
【請求項１３】
（ａ）ポリフェニレンエーテルが、２，３，６−トリメチルフェノールを１５〜４０質量％と２，６−ジメチルフェノールを８５〜６０質量％が共重合された共重合体である、請求項１〜１２のいずれかに記載の樹脂組成物。
【請求項１４】
（ａ）ポリフェニレンエーテル共重合体が、アルコール溶媒を含む溶媒中で、スラリー状態での重合により得られる、請求項１３に記載の樹脂組成物。
【請求項１５】
（ａ）と（ｅ）の合計１００質量部に対して、（ｆ）難燃剤を１〜３０質量部含む、請求項１〜１４のいずれかに記載の樹脂組成物。
【請求項１６】
（ｆ）難燃剤が、ホスフィン酸塩である、請求項１５に記載の樹脂組成物。
【請求項１７】
請求項１〜１６のいずれかに記載の樹脂組成物であって、厚みが１５０μｍ以下のフィルム用樹脂組成物。
【請求項１８】
請求項１〜１６のいずれかに記載の樹脂組成物からなるフィルム。
【請求項１９】
請求項１〜１６のいずれかに記載の樹脂組成物を射出成形して得られる成形体。
【手続補正２】
【補正対象書類名】明細書
【補正対象項目名】０００６
【補正方法】変更
【補正の内容】
【０００６】
すなわち本発明は、  
１．（ａ）ポリフェニレンエ−テル１００質量部に対し、（ｂ）イオウ系安定剤０．１〜３質量部、（ｃ）ヒンダードフェノール系安定剤０〜３質量部、（ｄ）ビニル芳香族化合物と共役ジエン化合物を共重合して得られるブロック共重合体をさらに水素添加反応して得られる水添ブロック共重合体０〜１００質量部、（ｅ）（ａ）以外の熱可塑性樹脂１〜９００質量部を含有し、（ｅ）（ａ）以外の熱可塑性樹脂が、ビニル芳香族化合物重合体、ビニル芳香族化合物共重合体、ポリプロピレン、ポリエチレン、ポリアミド６、ポリアミド６６、ポリアミド６６／６、芳香環含有ポリアミド、脂肪族環含有ポリアミド、ポリフェニレンサルファイド、液晶ポリマー、ポリエーテルエーテルケトン、ポリアリレート、ポリエーテルサルフォン、ポリサルフォンからなる群から選ばれる少なくとも１種以上である、樹脂組成物。
２．（ｂ）成分が、ジラウリル−３，３′−チオジプロピオネート、ジミリスチル−３，３′−チオジプロピオネート、ジステアリル−３，３′−チオジプロピオネート、ビス〔２−メチル−４−｛３−ｎ−アルキルチオプロピオニルオキシ｝−５−ｔ−ブチルフェニル〕スルフィド、テトラキス〔メチレン−３−（ラウリルチオ）プロピオネート〕メタン、テトラキス〔メチレン−３−（ミリスチルチオ）プロピオネート〕メタン、テトラキス〔メチレン−３−（ステアリルチオ）プロピオネート〕メタン、２−メルカプトベンズイミダゾール、ジトリデシルチオジプロピオネート、ジラウリルチオジプロピオネート、ジステアリルチオジプロピオネート、ジミリスチルチオジプロピオネートからなる群から選ばれる少なくとも１種以上のイオウ系安定剤である、上記１に記載の樹脂組成物。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
７．（ｅ）（ａ）以外の熱可塑性樹脂が、ビニル芳香族化合物共重合体、芳香環含有ポリアミド、脂肪族環含有ポリアミド、ポリフェニレンサルファイド、液晶ポリマー、ポリエーテルエーテルケトン、ポリアリレート、ポリエーテルサルフォン、ポリサルフォンからなる群から選ばれる少なくとも１種以上を含有する、上記１〜６のいずれかに記載の樹脂組成物。
８．（ｅ）（ａ）以外の熱可塑性樹脂が、芳香環含有ポリアミド、脂肪族環含有ポリアミド、液晶ポリマーからなる群から選ばれる少なくとも１種以上を含有する、上記１〜６のいずれかに記載の樹脂組成物。
９．（ｅ）成分のビニル芳香族化合物共重合体が、芳香族ビニル−マレイミド系共重合体である、上記１〜６のいずれかに記載の樹脂組成物。
【手続補正５】
【補正対象書類名】明細書
【補正対象項目名】００１０
【補正方法】変更
【補正の内容】
【００１０】
１０．  芳香族ビニル−マレイミド共重合体のガラス転移温度が１７０℃以上である、上記９に記載の樹脂組成物。
１１．芳香族ビニル−マレイミド共重合体のガラス転移温度が２００℃以上である、上記９に記載の樹脂組成物。
１２．（ａ）ポリフェニレンエ−テルが、フェノール性水酸基をフェニレンエーテルユニットの１００個に対して１．８０個以下含有する、上記１〜１１のいずれかに記載の樹脂組成物。
１３．（ａ）ポリフェニレンエーテルが、２，３，６−トリメチルフェノールを１５〜４０質量％と２，６−ジメチルフェノールを８５〜６０質量％が共重合された共重合体である、上記１〜１２のいずれかに記載の樹脂組成物。
【手続補正６】
【補正対象書類名】明細書
【補正対象項目名】００１１
【補正方法】変更
【補正の内容】
【００１１】
１４．（ａ）ポリフェニレンエーテル共重合体が、アルコール溶媒を含む溶媒中で、スラリー状態での重合により得られる、上記１３に記載の樹脂組成物。
１５．（ａ）と（ｅ）の合計１００質量部に対して、（ｆ）難燃剤を１〜３０質量部含む、上記１〜１４のいずれかに記載の樹脂組成物。
１６．（ｆ）難燃剤が、ホスフィン酸塩である、上記１５に記載の樹脂組成物。
１７．上記１〜１６のいずれかに記載の樹脂組成物であって、厚みが１５０μｍ以下のフィルム用樹脂組成物。
１８．上記１〜１６のいずれかに記載の樹脂組成物からなるフィルム。
１９．上記１〜１６のいずれかに記載の樹脂組成物を射出成形して得られる成形体。